(57)【特許請求の範囲】
【請求項１】
複数種類の解像度のうち所定の解像度にて画像データを記録用紙に記録可能なファクシミリ装置であって、
データを送受信するための画像データ送受信手段と、
原稿を読取る読取り手段と、
前記画像データ送受信手段または読取り手段から供給される画像データを記憶する記憶手段と、
前記記憶手段に記憶された画像データを記録用紙に記録するときの縮小率を設定するための縮小率設定手段と、
前記記憶手段に記憶された解像度の画像データを構成する各ラインデータをそれぞれ同一ライン数ずつ副走査方向に複写して前記記憶手段から読出した画像データの解像度より高解像度の高密度画像データに変換する変換手段と、
該変換手段により変換された高密度画像データを構成する複写された各ラインデータの全てを格納する高密度画像データ格納手段と、
この高密度画像データ格納手段に格納された高密度画像データを前記縮小率設定手段から受けた縮小率に基いて副走査方向に間引き処理した縮小画像データを作成する縮小画像データ作成手段と、
前記縮小画像データを格納する縮小画像データ格納手段と、
当該縮小画像データ格納手段に格納された前記縮小画像データを前記縮小率に基づいて主走査方向に間引き処理した主走査間引き画像データを作成する主走査間引き画像データ作成手段と、
前記主走査間引き画像データ作成手段により作成された前記主走査間引き画像データを記録用紙に記録する記録手段と
を備えたことを特徴とするファクシミリ装置。
【請求項２】
前記縮小画像データ作成手段は、前記高密度画像データの前記間引き処理をプログラムに基づいて演算する演算手段であり、
前記主走査間引き画像データ作成手段は、ゲートアレイで構成されていることを特徴とする請求項１に記載のファクシミリ装置。
【発明の詳細な説明】
【０００１】
【発明の属する技術分野】
本発明は、ファクシミリ装置に関し、特に受信した画像データ又は複写の為に読取った画像データの縮小処理に関するものである。
【０００２】
【従来の技術】
従来、一般に、ファクシミリ装置は、その普及に伴って高機能化が進み、原稿の画像データを解像度の低いスタンダードモードで送信・受信できるだけでなく、ファインモードやスーパーファインモードなどのより高い解像度で画像データを伝送可能で、更に複写機能や縮小機能を備えたものが実用に供されている。
【０００３】
この種のファクシミリ装置においては、受信したスタンダードやファインやスーパーファインの解像度の画像データを、例えば８０％などの縮小率で縮小して記録用紙に記録する場合には、受信した画像データを受信メモリに格納する一方、この画像データを構成する多数のラインデータについて、この縮小率に基いて、先ず副走査方向に１ラインの画像データを間引く間引き処理が施される。そして、この間引き処理された縮小画像データが更に主走査方向にドットデータを間引く間引き処理され、副走査方向と主走査方向とに間引き処理されて縮小された縮小画像データが、それぞれの解像度で記録用データとして作成され、この記録用データが記録用紙に記録される。
【０００４】
【発明が解決しようとする課題】
しかしながら、上述したように、複写機能や縮小機能を備え、複数の解像度で原稿の画像データを送信・受信可能な従来のファクシミリ装置においては、縮小記録するときには、受信した多数の１ラインの画像データについて、縮小率に基いて、副走査方向及び主走査方向にライン単位で間引き処理し、最終的に記録用データを作成して記録するので、特に解像度の低いスタンダードピッチの画像データを縮小するときには、１ラインの画像データの画像データ全体に対する比重が大きくなっており、この画像データを縮小率に応じて副走査方向に複数データ分間引くことになり、記録画像の品質が低下し、モアレが発生するという問題がある。
【０００５】
本発明は、上記問題点を解決するためになされたものであり、受信した画像データや複写の為の画像データについて、記録画像の品質向上を図れる縮小画像データを作成し得るようなファクシミリ装置を提供することを目的としている。
【０００６】
【課題を解決するための手段】
上記目的を達成するために、請求項１のファクシミリ装置は、複数種類の解像度のうち所定の解像度にて画像データを記録用紙に記録可能なファクシミリ装置であって、画像データを送受信するための画像データ送受信手段と、原稿を読取る読取り手段と、前記画像データ送受信手段または読取り手段から供給される画像データを記憶する記憶手段と、前記記憶手段に記憶された画像データを記録用紙に記録するときの縮小率を設定するための縮小率設定手段と、前記記憶手段に記憶された解像度の画像データを構成する各ラインデータをそれぞれ同一ライン数ずつ副走査方向に複写して前記記憶手段から読出した画像データの解像度より高解像度の高密度画像データに変換する変換手段と、該変換手段により変換された高密度画像データを構成する複写された各ラインデータの全てを格納する高密度画像データ格納手段と、この高密度画像データ格納手段に格納された高密度画像データを前記縮小率設定手段から受けた縮小率に基いて副走査方向に間引き処理した縮小画像データを作成する縮小画像データ作成手段と、前記縮小画像データを格納する縮小画像データ格納手段と、当該縮小画像データ格納手段に格納された前記縮小画像データを前記縮小率に基づいて主走査方向に間引き処理した主走査間引き画像データを作成する主走査間引き画像データ作成手段と、前記主走査間引き画像データ作成手段により作成された前記主走査間引き画像データを記録用紙に記録する記録手段とを備えたものである。。また、請求項２のファクシミリ装置おいては、前記縮小画像データ作成手段は、前記高密度画像データの前記間引き処理をプログラムに基づいて演算する演算手段であり、前記主走査間引き画像データ作成手段は、ゲートアレイで構成されていることを特徴とする。
【０００７】
【作用】
上記構成を有する請求項１のファクシミリ装置においては、複数種類の解像度のうち所定の解像度にて画像データを記録用紙に記録可能なファクシミリ装置であって、画像データ送受信手段で受信された画像データ又は読取り手段から供給される画像データは、記憶手段に記憶されているので、記憶手段から読出された画像データを構成する各ラインデータが、それぞれ同一ライン数ずつ副走査方向に複写されることで記憶手段に記憶された解像度より副走査方向に高解像度の高密度画像データに変換され、該変換された高密度画像データを構成する各ラインデータの全てが格納され、縮小画像データ作成手段は、該格納された高密度画像データを、縮小率設定手段で設定された縮小率に基いて、副走査方向に間引き処理した縮小画像データを作成する。当該作成された縮小画像データは、縮小画像データ格納手段に一旦格納され、その後、縮小画像データ格納手段に記憶された縮小画像データは、主走査間引き画像データ作成手段により主走査方向に間引き処理され、最終的に副走査方向と主走査方向とに間引きされた主走査間引き画像データが記録手段により変換手段により高解像度の高密度画像データに変換された際の解像度で記録用紙に記録される。
また、請求項２に記載のファクシミリ装置においては、縮小画像データ作成手段は、ＣＰＵなどの演算処理装置によりプログラムに基づいた制御によって高密度画像データの副走査方向の間引き処理を行い、一方、主走査間引き画像データ作成手段は、ゲートアレイにより構成され、副走査方向に間引き処理された縮小画像データをゲートアレイの動作によって主走査方向に間引き処理した主走査間引き画像データを作成する。
【０００８】
このように、記憶手段から読出した画像データは、指定された解像度より副走査方向に高解像度の高密度画像データ、即ち受信した画像データのラインデータ数より多いラインデータ数に変換された後、副走査方向に、縮小率に基づく間引き処理が行なわれるので、間引き対象となるラインデータ数が多くなることから、１ラインの画像データの全体に対する比率が小さくなり、しかもこれら間引かれる１ラインの画像データが副走査方向に散在するようになり、記録画像の品質向上を図れる縮小画像データを作成することができる。
【０００９】
【発明の実施の形態】
以下、本発明の実施例について、図面に基いて説明する。
【００１０】
本実施例は、受信した原稿の画像データを記録用紙に記録できる上、複写機能を備えたファクシミリ装置に本発明を適用した場合のものである。
【００１１】
このファクシミリ装置１は、一般的なものなので、図１及び図２に基いて簡単に説明する。
【００１２】
本体フレーム２には、その上部の前側部分において、操作パネル３が設けられ、この操作パネル３には、送信キー、複写キー、縮小率設定キー、テンキーなどの原稿データの送信処理や複写処理を実行する為の複数の機能キーが設けられている。また、この操作パネル３の直ぐ後側には、原稿載置部４が設けられ、この原稿載置部４には、Ａ４判やＢ５判などの複数種類のカットシートからなる原稿Ｇが複数枚分セット可能になっている。
【００１３】
次に、この本体フレーム２の内部に設けられ、前記原稿載置部４にセットされた原稿Ｇを読取る読取り装置５について、図２に基づいて説明する。
【００１４】
前記操作パネル３の直ぐ下側に対応する本体フレーム２の内部には、複数の案内壁６により、原稿載置部４にセットされた原稿Ｇを本体外に案内する第１用紙通路７が形成され、この第１用紙通路７の途中部には原稿Ｇを給紙する１対の給紙ローラ８が設けられ、また第１用紙通路７の下流端部には、原稿Ｇを排出する為の１対の排紙ローラ９が設けられ、これら給紙ローラ８と排紙ローラ９とは、原稿送りモータ３５（図３参照）により同期して用紙送り方向に夫々回転駆動される。
【００１５】
前記給紙ローラ８の直ぐ上流側には、給紙ローラ８で移送される原稿Ｇを読取る為の読取りセンサ１０と読取り光源としての発光ダイオード（ＬＥＤ）１１（図３参照）とが、前記第１用紙通路７に臨んで配設されている。この読取りセンサ１０は、ＣＣＤラインイメージセンサからなり、発光ダイオード１１からの反射光を介して電荷を蓄積して原稿Ｇの１ライン分の画像データを読取るようになっている。
【００１６】
次に、この本体フレーム２の内部に設けられ、外部から受信した画像データ、又は複写の為に前記読取り装置５で読取られた原稿Ｇの画像データを記録用紙Ｐに記録する為の記録装置２１と、その記録用紙Ｐを送給する送給装置１５について、図２に基づいて説明する。
【００１７】
本体フレーム２の内部の下端部には、Ａ４判やＢ５判などのカットシートからなる記録用紙Ｐを複数枚収納した用紙カセット１６が着脱自在に装着されており、複数の案内壁１７により、この用紙カセット１６の後端部から略Ｕ字状に延びる第２案内通路１８が形成され、この第２案内通路１８の開始部には、給紙ローラ１９が配設されるとともに、その途中部には、複数の送給ローラ２０と、多数（例えば、１７２８個）の発熱素子を列状に設けた所定長さを有するサーマルヘッド２２とがこの第２案内通路１８に臨んで配設されている。これら給紙ローラ１９や送給ローラ２０は、記録用紙送りモータ３７（図３参照）により同期して回転駆動される。
【００１８】
一方、この第２案内通路１８の上側には、サーマルヘッド２２の幅に対応する幅広のインクリボン２４を収納したリボンカセット２３が設けられている。このリボンカセット２３に回転可能に支持されたリボン供給スプール２２ａに巻装されたインクリボン２４は、サーマルヘッド２２を経てリボン巻取りスプール２２ｂで巻取られるようになっている。
【００１９】
そして、記録動作が開始されると、用紙カセット１６に収納された最上位置の記録用紙Ｐは、先ず給紙ローラ１９で第２案内通路１８に給紙され、送給ローラ２０で第２案内通路１８を所定速度で移送されながら、サーマルヘッド２２による加熱でインクリボン２４のインクにより記録され、第２案内通路１８を経て本体外に排出される。尚、サーマルヘッド２２、リボンカセット２３などから記録装置２１が構成されている。
【００２０】
次に、このファクシミリ装置１の制御系は、図３のブロック図に示すように構成されている。
【００２１】
通信制御装置２５は、制御装置Ｃの入出力インターフェース３８と通信用モデム２６と網制御装置（ＮＣＵ：ネットワーク・コントロール・ユニット）２７とに夫々接続され、入出力インターフェース３８から受け取った制御信号や画像データを通信用モデム２６に転送するとき、或いは通信用モデム２６から受け取った制御信号や画像データを入出力インターフェース３８に転送するときに、ファクシミリ制御を行なう。通信用モデム２６は、送信時には、画像データを伝送信号に変調制御する一方、受信時には、受信した伝送信号から画像データに復調制御する。また、網制御装置２７は、送信先に対して自動的に発信制御し、また外部からの発信に対して自動的に着信制御する。
【００２２】
前記サーマルヘッド２２を駆動する駆動回路３０には、ストローブ信号発生回路２９とＰ／Ｓ（パラレル／シリアル）変換器２８とが夫々接続され、入出力インターフェース３８から出力されたパラレルの画像データがＰ／Ｓ変換器２８でシリアルの画像データに変換されて供給される。駆動回路３０は、ストローブ信号発生回路２９から受けたストローブ信号に応動してサーマルヘッド２２に駆動信号を出力する。尚、前記Ｐ／Ｓ変換器２８には、ゲートアレイ３１が設けられている。
【００２３】
更に、制御装置Ｃの入出力インターフェース３８には、前記通信制御装置２５と、読取りセンサ１０から出力されたシリアルの画像データをパラレルの画像データに変換するＳ／Ｐ変換器３２、操作パネル３、発光ダイオード１１の為の駆動回路３３、原稿送りモータ３５の為の駆動回路３４、記録用紙送りモータ３７の為の駆動回路３６、Ｐ／Ｓ変換器２８及びストローブ信号発生回路２９が夫々接続されている。
【００２４】
制御装置Ｃは、ＣＰＵ４０と、このＣＰＵ４０にデータバスなどのバス３９を介して接続された入出力インターフェース３８、ＲＯＭ４１及びＲＡＭ５０とから構成されている。
【００２５】
前記ＲＯＭ４１には、送信時に、原稿Ｇの画像データを圧縮（符号化）した伝送信号を作成する符号化制御プログラム、また受信時に、符号化されている伝送信号を画像データに伸長（復号化）する復号化制御プログラム、本願特有の後述の縮小画像データ作成制御の制御プログラム、ファクシミリ通信制御や複写制御の為の各種の制御プログラムが格納されている。
【００２６】
前記ＲＡＭ５０の受信データメモリ５１には、所定量（例えば、２５６Ｋバイト）のメモリ容量が設けられ、受信した伝送信号つまり符号化された画像データが順次格納される。復号化データメモリ５２には、受信データメモリ５１から受けた伝送信号を復号化した画像データや複写時に読取りセンサ１０で読取られた画像データが格納される。第１記録データメモリ５３には、復号化データメモリ５２の画像データをスーパーファインモードの高解像度の高密度画像データに変換して格納される。また、第２記録データメモリ５４には、この第１記録データメモリ５３の高密度画像データについて、縮小率に基いて間引き処理された縮小画像データが格納される。符号化データメモリ５５には、送信時に符号化した画像データが格納される。更に、ＲＡＭ５０には、記録用紙Ｐに記録するときの設定された縮小率のデータやポインタ値などを格納するワークメモリや、ＣＰＵ４０で演算した演算結果を一時的に格納する各種のメモリが設けられている。
【００２７】
ところで、このファクシミリ装置１においては、スーパーファインモードとファインモードとスタンダードモードとの何れの解像度で送信された画像データも受信及び記録が可能になっている。ここで、１／１５．４ｍｍ（４００ドット／インチ）を１スーパーファインラインとして、スーパーファインモードとは、原稿Ｇをこの１スーパーファインライン毎の解像度で読出すモードであり、ファインモードとは、原稿Ｇを２スーパーファインライン毎の解像度で読出すモードであり、またスタンダードモードとは、原稿Ｇを４スーパーファインライン毎の解像度で読出すモードである。
【００２８】
そして、スーパーファインモードの解像度で受信した画像データの各々は、記録用紙Ｐをスーパーファインピッチ（約６５μｍ）分移送する毎に順次記録される。また、ファインモードの解像度で受信した画像データの各々は、夫々２スーパーファインライン分記録され、記録用紙Ｐをスーパーファインピッチ分移送する毎に順次記録される。更に、スタンダードモードの解像度で受信した画像データの各々は、夫々４スーパーファインライン分記録され、記録用紙Ｐをスーパーファインピッチ分移送する毎に順次記録される。
【００２９】
次に、ファクシミリ装置１の制御装置Ｃで行なわれる縮小画像データ作成制御のルーチンについて、図４のフローチャートに基づいて説明する。但し、この制御の開始時においては、受信されたスタンダードモードの解像度による画像データは、受信データメモリ５１に格納された後、復号化されて、図５に示すように、第１ラインデータ（以下、Ａライン画像データという）、第２ラインデータ（以下、Ｂライン画像データという）、第３ラインデータ（以下、Ｃライン画像データという）、第４ラインデータ（以下、Ｄライン画像データという）、第５ラインデータ（以下、Ｅライン画像データという）、・・・・・・の複数ラインデータからなる画像データが復号化データメモリ５２に格納されているものとする。また、各ラインデータについては、先頭の１バイト分のデータを示す。尚、図中、符号Ｓｉ（ｉ＝１１、１２、１３・・・）は各ステップである。
【００３０】
画像データが復号化データメモリ５２に格納されるとこの制御が開始され、先ずＲＡＭ５０のワークメモリから縮小率データが読込まれ、この縮小率データから縮小率（ａ／ｂ）が求められ、これら変数ａ、ｂが夫々設定される（Ｓ１１）。そして、復号化データメモリ５２に格納された画像データについて、各ライン画像データを夫々副走査方向に４スーパーファインライン分の画像データに複写して、高解像度の高密度画像データが作成され、第１記録データメモリ５３に格納される（Ｓ１２）。例えば、図６に示すように、前記復号化データメモリ５２に格納されたＡライン画像データ、Ｂライン画像データ、Ｃライン画像データ、Ｄライン画像データ、Ｅライン画像データ・・・の各々について、副走査方向に、４スーパーファインライン分のライン画像データに夫々複写される。即ち、Ａライン画像データについては、Ａ１〜Ａ４ライン画像データに、Ｂライン画像データについては、Ｂ１〜Ｂ４ライン画像データに、・・・Ｅライン画像データについては、Ｅ１〜Ｅ４ライン画像データに夫々複写して高解像度の高密度画像データが作成され、第１記録データメモリ５３に格納される。
【００３１】
次に、間引き処理の為の変数値Ｉに縮小率の分母の変数ｂがセットされ（Ｓ１３）、ポインタＰＡには第１記録データメモリ５３における先頭アドレスがセット（図６参照）されるとともに、ポインタＰＢには第２記録データメモリ５４における先頭アドレスがセット（図７参照）される（Ｓ１４）。次に、変数値Ｉには、縮小率の分子の変数ａだけ減算された値にセットされ（Ｓ１５）、変数値Ｉが正の数値のときには（Ｓ１６：Ｙｅｓ）、ポインタ値ＰＡが１つインクリメントされ（Ｓ１７）、ポインタＰＡに基いて、第１記録データメモリ５３にライン画像データが存在するときには（Ｓ１８：Ｙｅｓ）、Ｓ１５に戻る。
【００３２】
一方、前記変数値Ｉが「０」以下の負の数値のときには（Ｓ１６：Ｎｏ）、ポインタＰＡで指示する第１記録データメモリ５３のライン画像データが、ポインタＰＢで指示する第２記録データメモリ５４のアドレスに格納される（Ｓ１９）。次に、ポインタ値ＰＡとポインタ値ＰＢとが夫々１つインクリメントされ（Ｓ２０）、更に変数値Ｉには、変数ｂだけ加算された値にセットされ（Ｓ２１）、Ｓ１８を経てＳ１５に戻る。そして、縮小処理の対象となるライン画像データが第１記録データメモリ５３に存在しないときには（Ｓ１８：Ｎｏ）、この制御を終了して、メインルーチンに戻る。
【００３３】
即ち、変数値Ｉが正の数値のときに（Ｓ１６：Ｙｅｓ）、ポインタＰＡが１つインクリメントされ（Ｓ１７）、このポインタＰＡのインクリメントでスキップした第１記録データメモリ５３のライン画像データが第２記録データメモリ５４に格納されないことから、ライン画像データの間引き処理が行なわれる。
【００３４】
その後、第２記録データメモリ５４内の副走査方向に間引き処理された縮小画像データについて、ゲートアレイ３１により、主走査方向に縮小率に対応するドットデータを間引く間引き処理が施され、最終的に副走査方向と主走査方向とに縮小された縮小画像データが、Ｐ／Ｓ変換器２８を経てサーマルヘッド２２に供給されるとともに、駆動回路３０はストローブ信号発生回路２９からの駆動信号を受けて発熱素子を駆動し、設定された縮小率に対応する縮小画像が記録用紙Ｐに記録される。
【００３５】
例えば、縮小率が８０％のときには、変数ａが「４」で且つ変数ｂが「５」に設定される。そして、図６に示す第１記録データメモリ５３の高密度画像データについて、先ず変数値Ｉには「５」がセットされ（Ｓ１３）、次に変数値Ｉには（５−４）＝１がセットされ（Ｓ１５）、変数値Ｉが正の数値なので（Ｓ１６：Ｙｅｓ）、ポインタＰＡが１つインクリメントされることで、ポインタＰＡが指示する第１記録データメモリ５３の「Ａ１ライン画像データ」が間引き処理される。
【００３６】
次に、変数値Ｉには、（１−４）＝−３がセットされ、変数値Ｉは負の数値なので、ポインタＰＡで指示する「Ａ２ライン画像データ」が第２記録データメモリ５４に格納される。その後、変数値Ｉには（−３＋５）＝２がセットされてＳ１５に戻る。以下、同様に変数値Ｉに基づいて、先頭の「Ａ１ライン画像データ」から５番目毎のライン画像データ、つまり「Ｂ２ライン画像データ」、「Ｃ３ライン画像データ」、「Ｄ４ライン画像データ」・・・が順次副走査方向に間引き処理され、図７に示すように、副走査方向に８０％に縮小された縮小画像データが第２記録データメモリ５４に格納される。その後、各ライン画像データは、ゲートアレイ３１で主走査方向に複数のドットデータを間引きして８０％に夫々縮小され、最終的に副走査方向と主走査方向とに夫々８０％に縮小された縮小画像データがサーマルヘッド２２により記録用紙Ｐに記録される。
【００３７】
このように、受信データメモリ５１から読出した画像データは、指定されたスタンダードモードより副走査方向に高解像度のスーパーファインライン単位による高密度画像データ、即ち受信した画像データのラインデータ数の４倍に相当するラインデータ数に変換された後、副走査方向に、縮小率に基づく間引き処理が行なわれるので、間引き対象となるラインデータ数が多くなることから、１ラインの画像データの画像データ全体に対する比重が小さくなり、しかもこれら間引かれる１ラインの画像データが副走査方向に散在するようになり、記録画像の品質向上を図れる縮小画像データを作成することができる。
【００３８】
ここで、特許請求の範囲に記載した各手段と、上記実施例中の構成との対応関係について説明すると、縮小率設定手段に相当するものは、操作パネル３に設けられた縮小率設定キーであり、縮小画像データ作成手段に相当するものは、図４に示す縮小画像データ作成制御である。
【００３９】
尚、この縮小画像データ作成制御のＳ１２において、受信した画像データの各ラインデータを夫々副走査方向に２スーパーファインライン分の画像データに複写して、高解像度の高密度画像データが作成するようにし、受信したファインモードの解像度で受信した画像データについてもこの縮小画像データ作成制御が適用できる。更に、前記縮小画像データ作成制御において、受信したデータがスーパーファインモードの解像度の場合には、高解像度の高密度画像データに変換することなく、そのままの状態で間引き処理するように構成してもよい。尚、前記読取りセンサ１０で読取られた画像データを縮小複写する場合にも、前記縮小画像データ作成制御が適用できる。尚、本発明の技術的思想の範囲内において、前記実施例の制御に関し、既存の技術や当業者に自明の技術に基いて種々の変更を加えることもあり得る。尚、感熱方式やレーザ方式などの各種の記録装置を備えた種々のファクシミリ装置に、本発明を適用し得ることは勿論である。
【００４０】
【発明の効果】
以上説明したように、請求項１のファクシミリ装置によれば、画像データ送受信手段で受信された画像データ又は読取り手段から供給される画像データは、記憶手段に記憶されているので、記憶手段から読出された画像データが、一旦、指定された解像度より副走査方向に高解像度の高密度画像データに変換され、該変換された高密度画像データを構成する各ラインデータの全てが格納され、該格納された高密度画像データ、即ち受信した画像データのラインデータ数より多いラインデータ数に変換された後、副走査方向に、縮小率に基づく間引き処理が行なわれるので、間引き対象となるラインデータ数が多くなることから、１つのラインデータの画像データ全体に対する比重が小さくなり、しかもこれら間引かれるラインデータが副走査方向に散在するようになり、記録画像の品質向上を図れる縮小画像データを作成することができる。しかも、高密度画像データを構成する各ラインデータの全てを格納しているので、変換処理に連動させることなく変換処理とは別のタイミングで間引き処理を実行でき、間引き処理を簡単なアルゴリズムで実行でき、ＣＰＵに対する負荷を軽減できるため、主走査方向に対する間引き等の画像処理を容易に為し得るのみならず、その画像データを高密度データで他のファクシミリ装置に送信する場合には即座に対応し得る。
【図面の簡単な説明】
【図１】本発明のファクシミリ装置の斜視図である。
【図２】本発明のファクシミリ装置の内部機構を示す要部縦断側面図である。
【図３】本発明のファクシミリ装置の制御系のブロック図である。
【図４】縮小画像データ作成制御のルーチンの概略フローチャートである。
【図５】復号化データメモリに格納された画像データを示す図である。
【図６】第１記録データメモリに格納された高密度画像データを示す図である。
【図７】第２記録データメモリに格納された副走査方向に間引き処理された縮小画像データを示す図である。
【符号の説明】
１    ファクシミリ装置
５    読取り装置
１０    読取りセンサ
１５    送給装置
２１    記録装置
２２    サーマルヘッド
２３    リボンカセット
２５    通信制御装置
２６    通信用モデム
２７    網制御装置
４０    ＣＰＵ
４１    ＲＯＭ
５０    ＲＡＭ
５１    受信データメモリ
Ｃ    制御装置
【図１】
0003610544.tif 000002
【図２】
0003610544.tif 000003
【図３】
0003610544.tif 000004
【図４】
0003610544.tif 000005
【図５】
0003610544.tif 000006
【図６】
0003610544.tif 000007
【図７】
0003610544.tif 000008